(57)【要約】【課題】良好な感触を得るとともに、生産性を高くし、必要十分な強度を容易に実現する。【解決手段】雌ねじ１１ａを有する硬質樹脂製の内部材１１に軟質樹脂製の外部材１２を一体に組み合わせ、内部材１１の下端部外周にリング状の段部１１ｃを設け、外部材１２は、段部１１ｃを外部に露出させ、内部材１１とともに滑らかな全体表面を形成する。【選択図】図１
2008296931.tif 000002
【特許請求の範囲】
【請求項１】
雌ねじを有する硬質樹脂製の内部材と、該内部材と一体に組み合わせる軟質樹脂製の外部材とを備えてなり、前記内部材は、下端部外周にリング状の段部を有し、前記外部材は、前記段部を外部に露出させ、前記内部材とともに滑らかな全体表面を形成することを特徴とする容器の蓋体。
【請求項２】
前記内部材は、前記段部の上方のストレート部に軸方向のローレットを形成することを特徴とする請求項１記載の容器の蓋体。
【請求項３】
前記外部材は、前記内部材の上端面を外部に露出させることを特徴とする請求項１または請求項２記載の容器の蓋体。
【請求項４】
前記内部材は、前記段部に連続する複数の軸方向の突出部を有し、前記外部材は、前記突出部を外部に露出させることを特徴とする請求項１ないし請求項３のいずれか記載の容器の蓋体。
【請求項５】
前記内部材は、容器のノズル孔を封止する突栓部を天面に形成することを特徴とする請求項１ないし請求項４のいずれか記載の容器の蓋体。
【発明の詳細な説明】
【技術分野】
【０００１】
この発明は、液状の調味料、飲料、医薬品などの任意の液体を収納する容器の蓋体に関する。
【背景技術】
【０００２】
容器の蓋体は、ねじ式、嵌合式などがあるが、特にねじ式の蓋体は、開閉時に手指により回転トルクを加える必要があるため、外表面にローレットなどの滑り止めを施すことが少なくない。しかし、ローレットは、外部デザインの自由度が少なく、手指に対する感触がよくないため、軟質被膜による滑り止めが提案されている（特許文献１）。
【０００３】
このものは、たとえば二液形高弾性ウレタン系塗料を蓋体の外表面に塗布して軟質被膜を形成することにより、滑り止め効果とともに、ソフトな質感、しっとり感を伴う良好な感触を実現することができる。
【特許文献１】特開２００５−７５４０４号公報
【発明の開示】
【発明が解決しようとする課題】
【０００４】
かかる従来技術によるときは、軟質被膜は、二液形ウレタン系塗料を蓋体の外表面に塗布して形成するため、塗料のポットライフや硬化時間などの制約があって生産性がよくない上、被膜の膜厚が薄いため、尖った異物が接触したりすると、被膜が部分的に剥がれたり被損したりすることがあるという問題があった。
【０００５】
そこで、この発明の目的は、かかる従来技術の問題に鑑み、硬質樹脂製の内部材と、軟質樹脂製の外部材とを組み合わせることによって、良好な感触が得られる上、生産性が高く、異物の接触などに対しても必要十分な強度を容易に実現することができる容器の蓋体を提供することにある。
【課題を解決するための手段】
【０００６】
かかる目的を達成するためのこの発明の構成は、雌ねじを有する硬質樹脂製の内部材と、内部材と一体に組み合わせる軟質樹脂製の外部材とを備えてなり、内部材は、下端部外周にリング状の段部を有し、外部材は、段部を外部に露出させ、内部材とともに滑らかな全体表面を形成することをその要旨とする。
【０００７】
なお、内部材は、段部の上方のストレート部に軸方向のローレットを形成することができ、外部材は、内部材の上端面を外部に露出させることができる。
【０００８】
また、内部材は、段部に連続する複数の軸方向の突出部を有し、外部材は、突出部を外部に露出させてもよく、内部材は、容器のノズル孔を封止する突栓部を天面に形成してもよい。
【発明の効果】
【０００９】
かかる発明の構成によるときは、軟質樹脂製の外部材は、内部材の雌ねじを介して容器の口部に着脱自在に装着して開閉するに際して、良好な感触が得られる上、滑り止め効果があり、開閉操作が容易である。また、外部材は、内部材と別部材であるから、たとえば最小厚さ０．８mm以上の厚肉に形成することにより、必要十分な強度を容易に実現することができる。なお、内部材用の硬質樹脂は、たとえばポリプロピレン（ＰＰ）、ポリメチルペンテン（ＴＰＸ）、ＡＢＳ樹脂、ＡＳ樹脂などの耐薬品性の安定な熱可塑性樹脂が好適であり、外部材用の軟質樹脂は、たとえば熱可塑性エラストマー（ＴＰＥ）、シリコーンゴム、ＥＶＡ樹脂などであって、十分な滑り止め効果と良好な感触とを得るために、デュロメータ硬さＡの１５〜９５程度、特に好ましくは３０〜８０程度のものが好適である。
【００１０】
内部材、外部材は、個別に成形し、接着剤を介して一体に接着して組み合わせてもよい。また、成形済みの内部材をインサートして外部材を射出成形してもよく、内部材、外部材をダブルインジェクション成形することも可能である。いずれの方法であっても、生産性を大きく向上させることができる。なお、内部材の下端部のリング状の段部は、外部に露出してデザイン上のアクセントになる上、成形時に外部材の一部が内部材の内面に巻き込まれたり付着したりする不具合を防止する。また、内部材、外部材は、表面側の境界部分に有害な段差や隙間を生じないように、滑らかな全体表面を形成する。段差や隙間があると、汚れが付着し易く、不潔になり易いからである。
【００１１】
内部材は、段部の上方のストレート部に軸方向のローレットを形成することにより、外部材の密着性を高め、開閉操作による外部材の相対回転や部分的な剥がれなどを有効に防止することができる。また、外部材は、内部材の段部に加えて、内部材の上端面や、内部材に形成する軸方向の突出部を外部に露出させることにより、デザイン上の自由度を高めることができる。なお、外部材、内部材は、同色としてもよいが、異なる色彩にしてもよい。さらに、内部材は、突栓部を天面に形成することにより、容器のノズル孔を封止し、液漏れを防止することができる。
【発明を実施するための最良の形態】
【００１２】
以下、図面を以って発明の実施の形態を説明する。
【００１３】
容器の蓋体１０は、硬質樹脂製の内部材１１、軟質樹脂製の外部材１２を一体に組み合わせてなる（図１、図２）。ただし、図１（Ａ）〜（Ｃ）は、それぞれ蓋体１０の上面図、同図（Ａ）のＸ−Ｘ線矢視相当縦断面図、同図（Ｂ）のＹ−Ｙ線矢視相当横断面図である。
【００１４】
蓋体１０は、容器２０の口部２２に着脱自在に装着し、口部２２を開閉する（図２）。容器２０は、たとえば任意の液体収納用のプラスチック容器であって、偏平な胴部２１の上端に雄ねじ２２ａ付きの口部２２を形成し、口部２２には、ノズル孔２３ａを有するノズル２３が圧入されている。容器２０は、蓋体１０を取り外して下向きにし、胴部２１を手指で挟んで弾性変形させることにより、ノズル孔２３ａを介して内部の液体を外部に吐出させることができる。
【００１５】
蓋体１０の全体外形は、正方形断面の各角部を大径に丸めるとともに、各辺を外側に滑らかに膨出させることにより、滑らかな印象の変形角柱状に形成されている（図１、図２）。なお、蓋体１０は、容器２０の口部２２、ノズル２３を収納し得るように、下向き中空状に形成されており、内部材１１の外面に外部材１２を一体に付設して構成されている。
【００１６】
内部材１１の内部下半部には、容器２０の雄ねじ２２ａに適合する雌ねじ１１ａが形成されている。また、内部材１１の天面には、容器２０のノズル孔２３ａを封止する突栓部１１ｂが形成されている。内部材１１の下端部外周には、蓋体１０の全体断面形状に合致するリング状の段部１１ｃが外向きに突出するようにして形成されており、段部１１ｃの上方には、軸方向のローレット１１ｄ、１１ｄ…を有するストレート部１１ｅが形成されている。また、ストレート部１１ｅの上方は、上向きテーパ状の天井部１１ｆによって閉じられている。
【００１７】
外部材１２は、下端の厚さを内部材１１の段部１１ｃの径方向の高さと同一にして、段部１１ｃの上方のストレート部１１ｅ、天井部１１ｆの全体を外側から覆うようにして内部材１１に一体に装着されている。すなわち、外部材１２は、段部１１ｃを外部に露出させ、内部材１１とともに、蓋体１０の滑らかな全体表面を形成している。
【００１８】
かかる蓋体１０は、雌ねじ１１ａ、雄ねじ２２ａを介して容器２０の口部２２に着脱自在に装着することができ、閉蓋時には、突栓部１１ｂを介してノズル孔２３ａを封止し、容器２０を水密に閉じることができる。容器２０を開口するときは、片手で容器２０の胴部２１を把持し、他方の手指により蓋体１０を開放方向に捻じればよく、このとき、軟質樹脂製の外部材１２は、滑り難く、良好な感触を与えることができる。
【他の実施の形態】
【００１９】
蓋体１０の外部材１２は、内部材１１の段部１１ｃに加えて、上端面１１ｇを外部に露出させてもよい（図３）。ただし、図３（Ａ）〜（Ｄ）は、それぞれ蓋体１０の上面図、同図（Ａ）のＸ−Ｘ線矢視相当縦断面図、同図（Ｂ）のＹ−Ｙ線矢視相当横断面図、全体斜視図である。なお、図３の蓋体１０の全体形状は、僅かに上向き先細のほぼ円柱状に形成され、外部材１２は、内部材１１の天井部１１ｆに形成する円形の上端面１１ｇを外部に露出させている。
【００２０】
内部材１１は、段部１１ｃに連続する複数の軸方向の突出部１１ｈ、１１ｈ…を形成し、外部材１２は、突出部１１ｈ、１１ｈ…を外部に露出させることができる（図４）。ただし、図４（Ａ）〜（Ｄ）は、それぞれ図３（Ａ）〜（Ｄ）に対応している。
【００２１】
突出部１１ｈ、１１ｈ…は、内部材１１のストレート部１１ｅからテーパ状の天井部１１ｆの下部にかけて、内部材１１の外表面に上向きに形成され、内部材１１のまわりに等間隔に円形に配置されている。各突出部１１ｈは、下端部を段部１１ｃの上端面に滑らかに連続させ、上向きにテーパ状に幅狭とし、先端部を丸めることにより、全体として波形に形成されている。また、各突出部１１ｈの厚さは、下端部において段部１１ｃの径方向の高さに合わせるとともに、天井部１１ｆのテーパ形状に合わせて下から上に漸増させることにより、蓋体１０の全体表面形状に合致させている。
【００２２】
そこで、外部材１２は、段部１１ｃ、突出部１１ｈ、１１ｈ…を外部に露出させることにより、蓋体１０の滑らかな全体表面を形成するとともに、蓋体１０の外周面に美しい波形模様を作ることができる。また、突出部１１ｈ、１１ｈ…は、内部材１１に対する外部材１２の相対回転を阻止することもできる。なお、図４においても、ストレート部１１ｅの外周に軸方向のローレット１１ｄ、１１ｄ…を形成してもよい。
【００２３】
図４の突出部１１ｈ、１１ｈ…は、その形状、本数を任意に変更することができる（図５）。ただし、図５（Ａ）は、蓋体１０の上面図、同図（Ｂ）、（Ｃ）は、それぞれ同図（Ａ）のＸ−Ｘ線、Ｙ−Ｙ線矢視相当縦断面図である。また、同図（Ｄ）は、同図（Ｂ）のＺ−Ｚ線矢視相当横断面図、同図（Ｅ）は、全体斜視図である。
【００２４】
図５において、各突出部１１ｈの下端は、段部１１ｃの上端面に直角に連続している。また、各突出部１１ｈは、全長を同幅にし、外部に露出する天井部１１ｆの円形の上端面１１ｇの近くにまで高く延長させている。ただし、内部材１１は、ストレート部１１ｅを高く延長するとともに、天井部１１ｆの上端面１１ｇを低いドーム状に形成し、天井部１１ｆから大径の下向きのスカート１１ｊをストレート部１１ｅと平行に垂下している。また、上端面１１ｇの中央には、小さな円形の凹部１１ｋが形成されている。内部材１１、外部材１２は、全体として優美な外観の滑らかな全体表面を形成するとともに、薄肉であり、極端な厚肉部分の偏在がないため、良好な成形性を実現することができる。
【図面の簡単な説明】
【００２５】
【図１】全体構成説明図
【図２】使用状態分解斜視図
【図３】他の実施の形態を示す全体構成説明図（１）
【図４】他の実施の形態を示す全体構成説明図（２）
【図５】他の実施の形態を示す全体構成説明図（３）
【符号の説明】
【００２６】
１０…蓋体
１１…内部材
１１ａ…雌ねじ
１１ｂ…突栓部
１１ｃ…段部
１１ｄ…ローレット
１１ｅ…ストレート部
１１ｈ…突出部
１２…外部材
２０…容器
２３ａ…ノズル孔
特許出願人          伸晃化学株式会社
代理人  弁理士        松  田  忠  秋
【図１】
2008296931.tif 000003
【図２】
2008296931.tif 000004
【図３】
2008296931.tif 000005
【図４】
2008296931.tif 000006
【図５】
2008296931.tif 000007